(57)【要約】      （修正有）【課題】穂先竿の先端付近が撓み易く、手元側の部分の操作を竿先に伝達し易い釣り竿を提供する。【解決手段】穂先竿２を備える釣り竿１であり、当該穂先竿２は、中空で細長い本体部２ｂと、前記本体部２ｂの先端に取り付けられた細長い穂先部２ａとを備え、当該穂先部２ａは、任意の部分の曲げ剛性が前記本体部２ｂの任意の部分の曲げ剛性よりも小さく、その曲げ剛性が前記本体部２ｂの先端から前記穂先部２ａの先端までの間で、先端に行くほど減少するように構成されている。前記本体部２ｂは、その全長にわたって延伸する少なくとも１つの第１繊維強化樹脂シートと、当該本体部２ｂの先端から前記本体部２ｂの先端と根元端の中間位置まで延伸する第２繊維強化樹脂シートを備え、当該第２繊維強化樹脂シートは、前記本体部２ｂの先端と前記中間位置の間の任意の位置における前記穂先竿２の曲げ剛性を前記中間位置における前記穂先竿２の曲げ剛性よりも大きい。【選択図】図１
2018014946.tif 000002
【特許請求の範囲】
【請求項１】
穂先竿を備える釣り竿であって、
前記穂先竿は、中空で細長い本体部と、前記本体部の先端に取り付けられた細長い穂先部と、を備え、
前記穂先部は、前記本体部の先端から所定の挿入長だけ前記本体部に挿入されることにより前記本体部に取り付けられており、
前記穂先部は、その任意の部分の曲げ剛性が前記本体部の任意の部分の曲げ剛性よりも小さくなり、且つ、その曲げ剛性が前記本体部の先端から前記穂先部の先端までの区間において先端に行くほど減少するように構成されており、
前記本体部は、その全長にわたって延伸する少なくとも１つの第１繊維強化樹脂シートと、当該本体部の先端から前記本体部の先端と根元端との間にある中間位置まで延伸する第２繊維強化樹脂シートと、を備え、
前記第２繊維強化樹脂シートは、その軸方向の長さが前記挿入長よりも長く、前記本体部の先端と前記中間位置との間の任意の位置における前記穂先竿の曲げ剛性を前記中間位置における前記穂先竿の曲げ剛性よりも大きくするように構成されている、
釣り竿。
【請求項２】
前記穂先竿は、その曲げ剛性が前記本体部の根元端から前記中間位置までの区間において先端に行くほど減少するように構成されている、請求項１に記載の釣り竿。
【請求項３】
前記穂先部は、金属製の芯材を備える、請求項１又は請求項２に記載の釣り竿。
【請求項４】
前記第２繊維強化樹脂シートは、弾性率が２０ｔ／ｍｍ2〜３０ｔ／ｍｍ2である強化繊維を備える、請求項１から請求項３のいずれか１項に記載の釣り竿。
【請求項５】
前記第２繊維強化樹脂シートは、繊維目付が５ｇ／ｍ2以上である、請求項１から請求項４のいずれか１項に記載の釣り竿。
【請求項６】
前記第２繊維強化樹脂シートは、前記本体部の周方向に対して傾斜した方向に引き揃えられた強化繊維を備える、請求項１から請求項５のいずれか１項に記載の釣り竿。
【請求項７】
前記本体部は、その先端における内径が１．０ｍｍ〜３．０ｍｍとなるように構成されている、
請求項１から請求項６にいずれか１項に記載の釣り竿。
【発明の詳細な説明】
【技術分野】
【０００１】
本発明は、穂先竿を備えた釣り竿に関し、特に改善された剛性プロファイルを有する穂先竿を備えた釣り竿に関する。
【背景技術】
【０００２】
釣り竿を構成する各竿体は、竿体同士が重ね合わされている区間を除けば、穂先に向かうにつれてその曲げ剛性が単調に小さくなるように構成される。このような剛性プロファイルを有する釣り竿がたとえば特開２００２−３４３９４号公報（たとえば図２参照）に開示されている。釣り竿の竿体のうち穂先竿以外の竿体については、当該穂先竿以外の竿体の一部に繊維強化樹脂シートを巻き付けて剛性プロファイルを調整することが知られている。例えば、特開２０１４−８００３号公報には、穂先竿以外の竿体の一部に繊維強化樹脂シートを巻き付けて、当該竿体において当該繊維強化樹脂シートが巻き付けられた部分の曲げ剛性を高めることにより、魚がかかったときの竿体の曲がりカーブの頂上の移動速度を変化させることが開示されている。
【先行技術文献】
【特許文献】
【０００３】
【特許文献１】特開２００２−３４３９４号公報
【特許文献２】特開２０１４−８００３号公報
【発明の概要】
【発明が解決しようとする課題】
【０００４】
上述のように、穂先竿以外の竿体においては、竿体のある部分の曲げ剛性が当該部分よりも根元側の曲げ剛性よりも高いことがある。しかしながら、従来の穂先竿は、穂先に向かうにつれて曲げ剛性が単調に小さくなるように構成されている。したがって、従来の穂先竿を備えた釣り竿の根元側の部分を把持して竿先（穂先竿の先端）を動かそうとしても、穂先竿の曲げ剛性が比較的小さい部分が曲がってしまうので、釣り竿の根元側の部分の移動を竿先に伝達しにくい。釣種によっては、釣り竿の根元側にある部分（例えば、根元側に設けられたグリップ）の操作により竿先を動かすことが頻繁に行われる。例えば、鮎釣り用の釣り竿においては、仕掛けに取り付けられたおとり鮎を所望の方向に泳がせるために釣り竿の根元側の部分が頻繁に操作される。このような釣種を釣るためには、その根元側の部分の操作が竿先に伝達されやすい釣り竿が望まれる。
【０００５】
穂先竿を全長にわたって大径化すれば、その曲げ剛性が総じて大きくなるため、釣り竿の根元側の部分の操作は竿先に伝達されやすくなる。しかしながら、穂先竿は軽量であることが求められるため、穂先竿を全長にわたって大径化することは望ましくない。特に、穂先竿の先端は、強度を確保するために金属材料から作製されることもある。金属材料は一般に樹脂材料よりも高密度であるため、金属材料から成る穂先竿の先端を大径化すると穂先竿全体の重量が大きくなりやすい。また、穂先竿全体の曲げ剛性を高めると、釣り竿の根元側に加えられた意図せざる動きも竿先に伝達されてしまう。特に、おとり鮎を使って鮎釣りを行う場合には、このような意図せざる動きが竿先に伝達されると、おとり鮎が弱りやすくなってしまう。よって、穂先竿は、その竿先付近は撓みやすく構成されていることが望ましい。
【０００６】
このように、穂先竿の先端付近が撓みやすいとともに手元側の部分の操作を竿先に伝達しやすい釣り竿が求められている。本発明の目的の一つは、穂先竿先端付近が撓みやすいとともに手元側の部分の操作を竿先に伝達しやすい釣り竿を提供することである。本発明のこれら以外の目的は、本明細書全体を参照することにより明らかとなる。
【課題を解決するための手段】
【０００７】
本発明の一実施形態に係る釣り竿は、穂先竿を備える釣り竿であり、当該穂先竿は、中空で細長い本体部と、前記本体部の先端に取り付けられた細長い穂先部と、を備える。当該穂先部は、前記本体部の先端から所定の挿入長だけ前記本体部に挿入されることにより前記本体部に取り付けられている。また、当該穂先部は、その任意の部分の曲げ剛性が前記本体部の任意の部分の曲げ剛性よりも小さくなり、且つ、その曲げ剛性が前記本体部の先端から前記穂先部の先端までの区間において先端に行くほど減少するように構成されている。前記本体部は、その全長にわたって延伸する少なくとも１つの第１繊維強化樹脂シートと、当該本体部の先端から前記本体部の先端と根元端との間にある中間位置まで延伸する第２繊維強化樹脂シートと、を備える。当該第２繊維強化樹脂シートは、その軸方向の長さが前記挿入長よりも長く、前記本体部の先端と前記中間位置との間の任意の位置における前記穂先竿の曲げ剛性を前記中間位置における前記穂先竿の曲げ剛性よりも大きくするように構成されている。
【０００８】
当該実施形態に係る釣り竿においては、穂先竿の本体部に備えられている第２繊維強化樹脂シートにより、当該穂先竿の曲げ剛性が、本体部の先端と中間位置との間の任意の位置において当該中間位置よりも大きくなっている。よって、当該実施形態に係る釣り竿は、本体部の先端と中間位置との間における曲げ剛性が当該中間位置における曲げ剛性よりも大きくなっているので、竿先に向かって曲げ剛性が単調減少するように構成されている従来の穂先竿を備える釣り竿と比べて、手元側の操作を竿先（前記穂先部の先端）へ伝達しやすい。
【０００９】
また、当該穂先竿の先端にある穂先部の曲げ剛性は、その根元端から先端まで単調に減少するので、当該穂先竿は先端付近が撓みやすくなっている。
【発明の効果】
【００１０】
本発明の実施形態によって、穂先竿先端付近が撓みやすいとともに手元側の部分の操作を竿先に伝達しやすい釣り竿を提供することができる。
【図面の簡単な説明】
【００１１】
【図１】本発明の一実施形態に係る釣り竿を示す側面図である。
【図２】図１の釣り竿に備えられる穂先竿を示す断面図である。
【図３】図２の穂先竿の穂先部を構成する構成部材を示す図である。
【図４】図２の穂先竿の本体部を構成する構成部材を示す図である。
【図５】本発明の一実施形態に係る釣り竿に備えられる穂先竿の剛性分布を示す図である。
【発明を実施するための形態】
【００１２】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１３】
図１は、本発明の一実施形態に係る釣り竿１を示している。図示のとおり、本発明の一実施形態に係る釣り竿１は、穂先竿２、２番竿３、及び元竿４を備えている。穂先竿２はその手元端において２番竿３の先端と接合されており、２番竿３はその手元端において元竿４の先端と接合されている。本発明を適用可能な釣り竿は、図１に例示したものに限定されない。釣り竿１は、４本以上の竿体を接合させて構成するものであってもよいし、単一の竿体から成るものであってもよい。釣り竿１が単一の竿体から成る場合には、当該単一の竿体が後述する穂先部２ａ及び本体部２ｂを有する。釣り竿１は、並継式であってもよいし、振出式であってもよい。
【００１４】
図２は、釣り竿１に備えられる穂先竿２を示す側断面図である。図示のように、一実施形態において、穂先竿２は、穂先部２ａと本体部２ｂとを備える。穂先部２ａは、中実で細長い棒状の形状を有する。穂先部２ａは、根元端から先端に行くほど径が小さくなるテーパを有するように形成される。これにより、穂先部２の曲げ剛性は、その根元端から先端まで単調に減少する。本体部２ｂは、中空の細長い筒状の形状を有する。穂先部２ａは、本体部２ｂの先端から長さＬだけ本体部２ｂの内部に挿入される。つまり、穂先部２ａは、その根元端が本体部２ｂの先端と長さＬにわたって重複するように、本体部２ｂに挿入される。このようにして、穂先部２ａは、本体部２ｂの先端に装着される。
【００１５】
図３は、穂先竿２の穂先部２ａを構成する構成部材及び当該構成部材から穂先部２ａを製造する製造方法を説明する図である。図示のように、一実施形態において、穂先部２ａは、芯材Ｃ１と、当該芯材に巻きつけられる繊維強化樹脂シート１２，１４，１６を備える。芯材Ｃ１は、金属材料から中実の棒状に形成される。図示のように、芯材Ｃ１は、先端Ｐ１に向かって先細となるように形成される。芯材Ｃ１は、その先端Ｐ１の外径が概ね０．１ｍｍ〜２．０ｍｍ、その根元端の外径が概ね０．８ｍｍ〜２．０ｍｍ程度となるように形成される。芯材Ｃ１の素材として用いられる金属材料には、Ｎｉ基合金、Ｃｒ基合金等の各種超合金、Ａｕ−Ｃｄ、Ｃｕ−Ａｌ−Ｎｉ、Ａｕ―Ｃｄ等の形状記憶合金、ステンレス、及びチタンが含まれる。芯材Ｃ１の形状、寸法、及び素材は、本明細書で明示的に説明されたものに限られない。芯材Ｃ１は、用途に応じて様々な形状、寸法をとることができる。
【００１６】
芯材Ｃ１には、繊維強化樹脂シート１２，１４，１６がこの順に巻きつけられる。繊維強化樹脂シート１２，１４はそれぞれ、先端Ｐ１よりも根元側にある中間位置Ｐ２から根元端Ｐ３まで延伸する。芯材Ｃ１は、繊維強化樹脂シート１２，１４を巻き付けやすいように、中間位置Ｐ２から根元端Ｐ３までは同径に形成されてもよい。繊維強化樹脂シート１４の上には、台形の繊維強化樹脂シート１６が巻き付けられる。繊維強化樹脂シート１６は、根元側の脚が底辺とほぼ直交し、先端側の脚が底辺（図３の上側の底辺）と約３０°の角度を為す方向に延伸している。繊維強化樹脂シート１６は、その先端が中間位置Ｐ２よりもやや根元寄りの位置にあるように配置される。軸方向に沿って先細または同径に形成された芯材Ｃ１に台形の繊維強化樹脂シート１６を巻きつけることにより、穂先部２の径は、その根元端Ｐ３から先端Ｐ１まで単調に減少する。したがって、穂先部２の曲げ剛性も、根元端Ｐ３から先端Ｐ１に向かって径の減少に伴って単調に減少する。
【００１７】
繊維強化樹脂シート１２，１４，１６はいずれも、所定方向に配向させた炭素繊維等の強化繊維から成る強化繊維束をマトリクス樹脂に含浸させたシート状の複合部材である。繊維強化樹脂シート１２，１４，１６としては、公知の繊維強化樹脂シート（プリプレグとも呼ばれる。）を用いることができる。繊維強化樹脂シートは釣り竿の素材として広く用いられているので、本明細書ではその詳細な説明を省略する。繊維強化樹脂シート１２，１４，１６の各々の強化繊維の配向方向、弾性率、及び素材は目的に応じた好適なものを用いることができる。
【００１８】
このように芯材Ｃ１に巻きつけられた繊維強化樹脂シート１２，１４，１６を焼成することにより穂先部２ａが得られる。
【００１９】
図４は、穂先竿２の本体部２ｂを構成する構成部材及び当該構成部材から穂先部２ｂを製造する製造方法を説明する図である。本体部２ｂは、複数の繊維強化樹脂シートから、中空の細長い筒状に形成される。一実施形態において、本体部２ｂは、不図示のマンドレルに繊維強化樹脂シート２２，２４，２６，２８を巻回した後、公知の焼成、脱芯等の工程を経て形成される。この焼成、脱芯等の繊維強化樹脂シートから釣り竿の竿体を作製する方法は周知であるため、本明細書ではその詳細な説明は省略する。
【００２０】
本体部２ｂを構成する繊維強化樹脂シートのうち、繊維強化樹脂シート２２及び繊維強化樹脂シート２４は、当該本体部２ｂの全長にわたって、すなわち当該本体部２ｂの先端Ｐ４から根元端Ｐ６まで延伸している。繊維強化樹脂シート２６，２８は、繊維強化樹脂シート２２及び繊維強化樹脂シート２４よりも短い長さを有する。繊維強化樹脂シート２６は、その先端が本体部２ｂの先端Ｐ４と一致し、その後端が先端Ｐ４と根元端Ｐ６との間にある中間位置Ｐ５と一致するように配置される。繊維強化樹脂シート２８は、その後端が本体部２ｂの根元端Ｐ６と一致するように配置される。繊維強化樹脂シート２２，２４，２６，２８の各々の強化繊維の配向方向、弾性率、及び素材は目的に応じた好適なものを用いることができる。繊維強化樹脂シート２６は、その軸方向の長さ（すなわち、本体部２ｂの先端Ｐ４と中間位置Ｐ５との間の長さ）が、穂先部２ａが本体部２ｂとが重複する部分の軸法の長さＬよりも長くなるように形成される。
【００２１】
本発明の一実施形態において、本体部２ｂは、その先端Ｐ４における内径が１．５ｍｍ〜２．０ｍｍとなるように構成される。
【００２２】
繊維強化樹脂シート２６は、上述のように、強化繊維から成る強化繊維束をマトリクス樹脂に含浸させたものである。本発明の一実施形態において、繊維強化樹脂シート２６の強化繊維は２０ｔ／ｍｍ2〜３０ｔ／ｍｍ2、２２ｔ／ｍｍ2〜２８ｔ／ｍｍ2、又は２３ｔ／ｍｍ2〜２７ｔ／ｍｍ2の弾性率を有する。本発明の一実施形態における繊維強化樹脂シート２６は、繊維目付が５ｇ／ｍ2以上、６ｇ／ｍ2以上、７ｇ／ｍ2以上、８ｇ／ｍ2以上、９ｇ／ｍ2以上、又は１０ｇ／ｍ2以上となるように構成される。
【００２３】
本発明の一実施形態において、繊維強化樹脂シート２６に含まれる強化繊維は、本体部２ｂの周方向（本体部２ｂの軸方向に対して直交する方向）に対して傾斜した方向に引き揃えられている。この強化繊維は、当該周方向に対して９０°傾いていてもよいし、９０°未満傾いていてもよい。この周方向に対して９０°傾いている（すなわち、軸方向に延伸している）強化繊維を有する繊維強化樹脂シートは、ユニダイレクション（ＵＤ）シートと呼ばれることもある。一実施形態において、当該強化繊維は、当該周方向に対して４５°傾斜している。この周方向に対して９０°未満の角度だけ傾いている強化繊維を有する繊維強化樹脂シートは、バイアスシートと呼ばれることもある。
【００２４】
図５は、本発明の一実施形態に係る釣り竿１に備えられた穂先竿２の剛性分布を従来の穂先竿の剛性分布と比較して示す図である。図５において、横軸は穂先竿２の先端Ｐ１からの距離を示しており、縦軸は曲げ剛性ＥＩを示している。また、実線のグラフは、本発明の一実施形態に係る釣り竿１に備えられた穂先竿２の剛性分布を示し、点線のグラフは、従来の穂先竿の剛性分布を示す。図５に示した剛性分布を有する従来の穂先竿は、繊維強化樹脂シート２６を含まない点で本発明の実施形態である穂先竿２と異なっているが、それ以外は穂先竿２と同様に構成されている。この図５を参照して、穂先竿２の根元端Ｐ６から先端Ｐ１へ向かって当該穂先竿２の曲げ剛性のプロファイルを説明する。必要に応じて、穂先部２ａ及び本体部２ｂの個別の曲げ剛性にも言及する。
【００２５】
図示のように、穂先竿２の根元端（すなわち、本体部２ｂの根元端Ｐ６）から本体部２ｂの中間位置Ｐ５までは、穂先竿２の曲げ剛性（本体部２ｂの曲げ剛性）が根元端Ｐ６から先端Ｐ１に向かって単調に減少している。すなわち、根元端Ｐ６から中間位置Ｐ５までの区間の任意の位置における穂先竿２の曲げ剛性は、当該位置より根元側にある位置における曲げ剛性よりも小さくなっている。これは、本体部２ｂがこの区間（Ｐ６〜Ｐ５）において同一素材から先細となるテーパを有するように形成されているためである。
【００２６】
次に、本体部２ｂの中間位置Ｐ５から穂先部２ａの根元端Ｐ３までの区間においては、穂先竿２の曲げ剛性が中間位置Ｐ５における曲げ剛性よりも大きくなる。これは、本体部２ｂの先端Ｐ４から中間位置Ｐ５までの区間に繊維強化樹脂シート２６が巻き付けられていることにより、当該区間における本体部２ｂの径が大径化されているためである。
【００２７】
次に、穂先部２ａの根元端Ｐ３から本体部２ｂの先端Ｐ４までの区間は、穂先部２ａと本体部２ｂとが重複しているので、この両者の剛性が加え合わされて前後の区間とは不連続に大きな曲げ剛性が得られる。
【００２８】
次に、本体部２ｂの先端Ｐ４から穂先部２ａの中間位置Ｐ２までの区間及び穂先部２ａの当該中間位置Ｐ２から先端Ｐ１までの区間においてはいずれも、穂先竿２の曲げ剛性は単調に減少している。これは、穂先部２ａの芯材Ｃ１が軸方向において同径または先細になるように形成され、また、芯材Ｃ１の根元側に台形の繊維強化樹脂シート１６が巻き付けられているためである。
【００２９】
最後に、穂先部２ａの中間位置Ｐ２からその先端Ｐ１までは、穂先竿２の曲げ剛性（穂先部２ａの曲げ剛性）は先端Ｐ１に向かって単調に減少している。すなわち、中間位置Ｐ２から先端Ｐ１までの区間の任意の位置における穂先竿２の曲げ剛性は、当該位置より根元側にある位置における曲げ剛性よりも小さくなっている。
【００３０】
図示のように、従来の穂先竿の曲げ剛性は、本体部２ｂの先端Ｐ４から中間位置Ｐ５以外の区間においては、穂先竿２の曲げ剛性と概ね同じであり、一方、本体部２ｂの先端Ｐ４から中間位置Ｐ５の区間においては、穂先竿２の曲げ剛性よりも小さくなっている。これは、穂先竿２は、本体部２ｂの先端Ｐ４から中間位置Ｐ５の区間に繊維強化樹脂シート２６が配置されているためである。
【００３１】
穂先竿２の曲げ剛性は、本体部２ｂの中間位置Ｐ５と先端Ｐ４との間において繊維強化樹脂シート２６によって大径化されているため、当該中間位置Ｐ５と先端Ｐ４との間の任意の位置において当該中間位置Ｐ５における曲げ剛性よりも大きくなっている。よって、この穂先竿２は、竿先に向かって曲げ剛性が単調に減少する従来の穂先竿と比べて、釣り竿の根元側の部分の操作を竿先（前記穂先部の先端）へ伝達しやすい。また、当該穂先竿２の先端にある穂先部２ａの曲げ剛性は、その根元端Ｐ３から先端Ｐ１まで単調に減少するので、当該穂先部２ａを備える穂先竿２は先端付近が撓みやすくなっている。
【００３２】
本発明の一実施形態に係る釣り竿２は、鮎釣り用竿として用いるのに好適である。釣り竿２を鮎釣り用の釣り竿として用いることにより、仕掛けに取り付けられたおとり鮎を操作しやすくなる。
【００３３】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３４】
１  釣り竿
２  穂先竿
２ａ  穂先部
２ｂ  本体部
２６  繊維強化樹脂シート
【図１】
2018014946.tif 000003
【図２】
2018014946.tif 000004
【図３】
2018014946.tif 000005
【図４】
2018014946.tif 000006
【図５】
2018014946.tif 000007